(57)【要約】      （修正有）【課題】インターネット等のデータ通信網で発生する伝送遅延に影響されることなく、正確な時刻情報を時刻情報サービス利用者に提供する。【解決手段】電話機１０１等の通信端末やＩＰネットワーク１０２を介しＳＮＴＰ（ＮＴＰ）サーバ１０８と接続されるＶｏＩＰ装置１００であって、電話番号検出部１０５が時報サービスの電話番号を検知し、内蔵時計制御部１０４へその情報を送る手段と、内蔵時計制御部１０４はＩＰネットワーク１０２及びＳＮＴＰクライアント部１０３を介し接続されたＳＮＴＰ（ＮＴＰ）サーバから受信し格納した時刻情報を元に、トーン発生及び音声合成部１０６に、時報サービスの音声信号発生を指示する手段と、トーン発生及び音声合成部１０６により時刻情報にトーンを発生させ音声を合成し時報音声を生成する手段と、時報音声を電話機１０１に提供する手段を備えることを特徴とする。【選択図】図１
2006295477.tif 000002
【特許請求の範囲】
【請求項１】
通信端末を収容して通信網に接続する通信装置であって、
通信インタフェースを介し時刻情報サーバが接続され、時刻情報の受信を行い格納するための記憶手段と、
前記時刻情報サーバから時刻情報を受信時に前記記憶手段に格納されている時刻情報を更新するための更新手段と、
前記通信端末から所定のダイヤル信号を識別し検出するダイヤル信号検出手段と、
前記ダイヤル信号検出手段にて所定のダイヤル信号を識別し検出した場合、前記記憶手段に格納されている時刻情報を音声情報に変換するための変換手段と、
音声情報を前記通信端末へ再生する手段とを備えることを特徴とする通信装置。
【請求項２】
請求項１の通信装置であって、
前記記憶手段は、前記時刻情報サーバから受信し格納した時刻情報を前記通信端末へ音声情報として再生されるまでを予め計測し設定された処理時間情報を有し、
前記時刻情報サーバから受信し格納した時刻情報から処理時間情報を差引く手段を備え、
前記変換手段は、前記時刻情報サーバから受信し格納した時刻情報から処理時間情報を差引いた時刻情報を音声情報へ変換することを特徴とする通信装置。
【発明の詳細な説明】
【技術分野】
【０００１】
この発明は、ＶｏＩＰ（Voice Over Internet Protocol）を用いた音声端末、ゲートウェイ製品に関するものである。
【背景技術】
【０００２】
近年、ＩＰ電話と称されるインターネット等のデータ通信網を利用した音声通信が注目されている。このような音声通信（主にパケット通信による）では、通話に遅延が発生するため、通話発信元と着信側との間に伝送遅延が発生する。
従来の加入者電話回線網（ＰＳＴＮ）においても、遠距離通話の場合は遅延が発生するが、近距離の通話では無視できる程度の遅延で済む。電話サービスで遅延がもっとも影響するサービスは時報サービスだが、これは近距離の通話となるため、この遅延が問題となることはなかった。
【０００３】
また、下記文献「特開平９−６４９６４号公報」には、音声端末装置において、相手通話発信元からのトーン信号（ＤＴＭＦ）を識別し、その番号又は対応する音声情報を蓄積した後に音声へ変換し、通話着信側に情報を音声にて伝達を行うことができる音声端末装置が開示されている。
【特許文献１】特開平９−６４９６４号公報
【発明の開示】
【発明が解決しようとする課題】
【０００４】
ところが、ＩＰ電話では、音声コーデックやネットワーク接続に伴う遅延が大きく、通信条件の良い場合でも0.1秒以上の伝送遅延が伴うことがあり、ネットワークトラフィックに伴うジッタ（ゆらぎ）があれば、更に大きな遅延となる上、その遅延量は一定の値にならない。
このため、ＩＰ電話網経由で時報サービスに接続した場合、この伝送遅延の影響を受け正確な時報サービスを受けることが出来ず、現状のＩＰ電話サービスでは加入者電話回線網（ＰＳＴＮ）に振り分け問題を回避していることが多いが、高速インターネットの普及に伴い、加入者電話回線網（ＰＳＴＮ）を全面的にＩＰ電話網経由に移項する場合、この回避策を用いることができない。
よって、本発明では通信装置に蓄積された正確な時刻情報を利用し、時報サービス利用者に対し正確な時刻情報を提供することを目的とする。
【課題を解決するための手段】
【０００５】
かかる課題を解決するため、通信端末を収容して通信網に接続する通信装置であって、通信インタフェースを介し時刻情報サーバが接続され、時刻情報の受信を行い格納するための記憶手段と、時刻情報サーバから時刻情報を受信時に記憶手段に格納されている時刻情報を更新するための更新手段と、通信端末から所定のダイヤル信号を識別し検出した場合、記憶手段に格納されている時刻情報をトーンおよび音声に変換するための変換手段と、音声情報を通信端末へ再生する手段とを備えることを特徴とする。
【０００６】
また、上述の通信装置において、記憶手段は時刻情報サーバから受信し格納した時刻情報を通信端末へ音声情報として再生されるまでを予め計測し設定された処理時間情報を有し、時刻情報サーバから受信し格納した時刻情報から処理時間情報を差引く手段を備え、変換手段は、前記時刻情報サーバから受信し格納した時刻情報から処理時間情報を差引いた時刻情報を音声情報へ変換することを特徴とする。
【発明の効果】
【０００７】
発明の効果として、本発明の通信装置及び通信ネットワークシステムによれば、通信インタフェースを介し時刻情報サーバが接続され、時刻情報の受信を行い格納し、通信装置配下の通信端末から所定のダイヤル信号を識別し検出した場合、格納されている時刻情報をトーンおよび音声に変換し、再生することが可能となる。これにより、時報サービス利用者に対し正確な時刻情報を提供することが容易に実現できる。
【発明を実施するための最良の形態】
【０００８】
本発明による通信装置の実施例は、添付図面を参照して詳細に説明される。
【実施例１】
【０００９】
以下、本発明の実施例について図面を参照して説明する。図１は、実施例１のＶｏＩＰ端末の構成図である。このＶｏＩＰ装置１００は、電話機１０1等の通信端末やＩＰネットワーク１０２と接続する装置であり、ＳＮＴＰ（ＮＴＰ）クライアント部１０３、内臓時計制御部１０４、電話番号検出部１０５、トーン発生及び音声合成部１０６、ＩＰ電話部１０７で構成される。
【００１０】
ＳＮＴＰ（ＮＴＰ）クライアント部１０３は、ＩＰネットワーク１0２を介しＳＮＴＰ（ＮＴＰ）サーバ１０８が接続され正確な時刻情報を得る。そして、ＳＮＴＰ（ＮＴＰ）サーバ１０８から得た時刻情報を内蔵時計制御部１０４へ送信する機能部である。
【００１１】
内臓時計制御部１０４は、ＶｏＩＰ装置１００の内部時計を持ち、ＳＮＴＰ（ＮＴＰ）クライアント部１０３からの時刻情報を元に逐次更正する。
尚、内臓時計制御部１０４を設置する理由は、ＩＰネットワーク１0２との接続が切断された場合でも、正確な時刻情報を時報サービス利用者に対し提供することを可能とするためである。もしＩＰネットワーク１0２との接続が切断された場合、ＳＮＴＰ（ＮＴＰ）クライアント部１０３はＳＮＴＰ（ＮＴＰ）サーバ１０８から正確な時刻受信が困難となるため、ＳＮＴＰ（ＮＴＰ）サーバ１０８から受信した時刻を元に逐次更正されることがなくなる。
【００１２】
電話番号検出部１０５は、電話機１０１でダイヤルした番号を検出する機能部である。
トーン発生及び音声合成部１０６は、トーン発生機能部および音声合成機能部を有し、内臓時計制御部１０４からの音声信号発生指示を受けると、内蔵時計制御部１０４からの正確な時刻情報を元にトーンの発生及び音声を合成し、時報音声を生成し電話機１０１へ正確な時刻情報を音声にて提供する機能部である。
ＩＰ電話部１０７は、ＩＰ電話サービス全般に関する処理機能部である。
【００１３】
ＳＮＴＰ（ＮＴＰ）クライアント部１０３は、ＩＰネットワーク１０２を介しＳＮＴＰ（ＮＴＰ）サーバ１０８に接続され正確な時刻情報を取得し、内臓時計制御部１０４に送り、内臓時計制御部１０４は、ＳＮＴＰ（ＮＴＰ）クライアント部１０３の時刻情報を元に、内部時計を逐次更正し、常に正確な時刻情報を保持する。
【００１４】
電話番号検出部１０５は、電話機１０１がダイヤルしたときにその番号を検出し、１１７等の時報サービス以外の電話番号については、その番号情報をＩＰ電話部１０７へ送る。
そして、ＩＰ電話部１０７は、受け取った番号情報を元に、対応するＩＰ電話番号サービスを実行する。
【００１５】
また、電話番号検出部１０５が時報サービスの電話番号を検知したとき、内臓時計制御部１０４へその情報を送ると、内蔵時計制御部１０４はＳＮＴＰ（ＮＴＰ）サーバ１０８から受信し格納されている時刻情報を電話機１０１へ音声情報として再生されるまでに要する処理時間情報を、ＳＮＴＰ（ＮＴＰ）サーバ１０８から受信し格納されている時刻情報から差引き、差引いた時刻情報を元にトーン発生及び音声合成部１０６に、時報サービスの音声信号発生を指示する。
音声信号発生指示を受けたトーン発生及び音声合成部１０６は、内蔵時計制御部１０４から送信された時刻情報を元にトーンの発生及び音声を合成し、時報音声を生成し電話機１０１へ正確な時刻情報を音声にて提供する。
【００１６】
尚、電話機１０１は、ＶｏＩＰ装置１００に接続する電話端末であるが、ＶｏＩＰ装置１００と一体にした構造でも可能である。また、ＳＮＴＰ（ＮＴＰ）クライアント部１０３は、ＧＰＳ衛生からの電波を受信するＧＰＳ電波受信部や、長波帯の標準電波を受信する標準電波受信部、テレビやＦＭ、ＡＭ等の電波を受信する放送電波受信部、誤差が数十万年に１秒という高精度な原子時計に置き換え、正確な時刻情報を得ることも可能である。
【図面の簡単な説明】
【００１７】
【図１】本発明のＶｏＩＰ端末の構成図
【符号の説明】
【００１８】
１００…ＶｏＩＰ装置、１０１…電話機、１０２…ＩＰネットワーク、１０３…ＳＮＴＰ（ＮＴＰ）クライアント部、１０４…内蔵時計制御部、１０５…電話番号検出部、１０６…トーン発生及び音声合成部、１０７…ＩＰ電話部、１０８…ＳＮＴＰ（ＮＴＰ）クライアント部、１０９…通信インタフェース
【図１】
2006295477.tif 000003